(57)【要約】【課題】  磁気通帳等の冊子類に磁気データを読書きする冊子取扱装置において、新たにクリーニング機構等を設けることなく、磁気ヘッド表面のクリーニングを行うことで、磁気情報データの読書き性能の低下を防止すると共に、人為的に行っていたメンテナンス作業を削減することにある。【解決手段】磁気通帳等の冊子類に磁気データを読書きする冊子取扱装置において、磁気ヘッドのホームポジションにて磁気ヘッド表面と接するような位置に配置された駆動ベルトの背面に、磁気ヘッドのクリーニング部材を設け、冊子媒体の搬送動作等で駆動ベルトが動く度にクリーニング部材で磁気ヘッド表面に付着した汚れをクリーニングすることで、磁気情報データの読書き性能の低下を防止できると共に、人為的に行っていたメンテナンス作業を削減することができる。【選択図】  図２
2007018567.tif 000002
【特許請求の範囲】
【請求項１】
磁気通帳等の冊子媒体に磁気データを読書きする為に往復動作をする磁気ヘッドを有する冊子取扱装置において、
モータにより駆動される駆動ベルトの背面に前記磁気ヘッドのクリーニング部材を有したものを、前記磁気ヘッドのホームポジションにて前記磁気ヘッド表面と接するような位置に配置し、前記駆動ベルトの動きにより、前記クリーニング部材で前記磁気ヘッド表面に付着した汚れをクリーニングすることを特徴とする冊子取扱装置。
【請求項２】
請求項１に記載の冊子取扱装置であって、
モータにより駆動される駆動ベルトは、磁気通帳等の冊子媒体を搬送する為の搬送ローラを駆動する駆動ベルトを兼ねていることを特徴とする冊子取扱装置。
【発明の詳細な説明】
【技術分野】
【０００１】
本発明は、取り扱う冊子媒体に磁気データを読書きする磁気ヘッドを有する冊子取扱装置に係り、特に磁気ヘッドのクリーニング技術に関する。
【背景技術】
【０００２】
ビデオテープレコーダ等のように回転磁気ヘッドを有するものは、ヘッド自身の回転運動を利用し、クリーニング部材を磁気ヘッド表面に押し当てるだけで効果的なクリーニングが可能であるが、カセットテープレコーダのように磁気ヘッドが固定されたものや前記冊子取扱装置のように磁気ヘッドが往復運動する装置では、クリーニング機構を持たないものが多く、それを装備したものは少ない。
【０００３】
前記冊子取扱装置においてクリーニング機構が搭載されたものの従来例として、例えば、図３に示すものがある。往復動作する磁気ヘッド４の動きを利用して、磁気ヘッド４がホームポジション７に戻るとき、磁気ヘッド４の表面に接する位置に固定されたクリーニング部材１１により磁気ヘッド４の表面をクリーニングするものがある。しかし、磁気ヘッド４の表面をクリーニング部材１１が擦るのは一瞬であり、クリーニング性能に欠けるとともに、クリーニング部材１１を配置するスペースも別途必要であった。なお、従来、この種の装置としては、特開平９−１１５１１６（特許文献１）等に開示のものがある。
【０００４】
【特許文献１】特開平９−１１５１１６号公報
【発明の開示】
【発明が解決しようとする課題】
【０００５】
上記のように従来技術による冊子取扱装置のクリーニング機構では、クリーニング性能の信頼性に欠ける為、磁気ヘッド表面の汚れの蓄積により、良好な磁気情報データの読書きが長時間維持できず、装置の信頼性が低下するという問題と共に、その都度綿棒やクリーニング媒体等で有人によるメンテナンスを行わなければならない欠点があった。
【課題を解決するための手段】
【０００６】
本発明の冊子取扱装置は、磁気通帳等の冊子媒体に磁気データを読書きする磁気ヘッドを有する冊子取扱装置であって、磁気ヘッドの表面は、そのホームポジションで常に駆動ベルトの背面と接しており、その接触面、即ち、駆動ベルトの背面には磁気ヘッド表面を清掃する為のクリーニング部材を有している。
【０００７】
冊子媒体の取扱動作等によって駆動ベルトが動くことで、クリーニング部材が磁気ヘッド表面を擦り、磁気ヘッド表面を常にクリーニングすることを手段とする。
【発明の効果】
【０００８】
本発明の冊子取扱装置によれば、磁気通帳等の冊子媒体に磁気データを読書きする磁気ヘッドをクリーニングする為に、クリーニング用部材を新たに配置したり、クリーニング専用の機構を新たに設けることなく、磁気ヘッド表面のクリーニングすることができる為、磁気情報データの読書き性能の低下を防止できると共に、人為的に行っていたメンテナンス作業を削減することが可能になる。また、クリーニング部材を配置するスペースを別途必要としない為に、装置の小型化にも寄与する。
【発明を実施するための最良の形態】
【０００９】
次に、本発明の実施形態について、具体的な一実施例を図面を用いて説明する。図１は磁気通帳等の冊子媒体に磁気データを読書きする磁気ヘッドを有する冊子取扱装置の基本的な構成図、図２は図1を基に本発明による冊子取扱装置の磁気ヘッドクリーニングの実施例を示す。
【００１０】
実施例の冊子取扱装置には、搬送ガイド１によって保持される磁気通帳等の冊子媒体２を搬送する搬送ローラ３と冊子媒体２に磁気データを読書きする磁気ヘッド４がある。搬送ローラ３の同一軸上には駆動プーリ５が取り付けられ、互いにモータ（図示省略）により駆動される駆動ベルト６によって連結されている。
【００１１】
その駆動ベルト６は、磁気ヘッド４のホームポジション位置にて磁気ヘッド４の表面と接する位置に配置され、駆動ベルト６の背面にはクリーニング部材１０を有している。通常、ホームポジション７で静止している磁気ヘッド４は、案内シャフト８とモータ（図示省略）によって冊子媒体２の搬送方向（矢印１２）とは垂直の方向（矢印１３）に可動することができる。
【００１２】
冊子媒体２が搬送ローラ３によって所定の位置に搬送停止されると、磁気ヘッド４は搬送媒体２の表面に貼り付けられた磁気ストライプ９に接触しながら動き、磁気データを読書きするが、このときに磁気ヘッド４の表面には汚れが付着する。
【００１３】
ホームポジション７に戻った磁気ヘッド４の表面は、上述のように駆動ベルト６の背面のクリーニング部材１０と接触している為、冊子媒体２の搬送等で駆動ベルト６が矢印１４方向に動くと、クリーニング部材１０により磁気ヘッド４の表面の汚れは除去される。
【００１４】
このように、磁気ヘッド４の表面は常にクリーニングされるので、汚れの付着による磁気情報データの読書き性能の低下を防止でき、良好な磁気情報データの読書きを長時間維持することができる。
【産業上の利用可能性】
【００１５】
銀行端末装置の通帳プリンタにおける磁気通帳等の冊子媒体の磁気データを読書きする装置に利用可能である。
【図面の簡単な説明】
【００１６】
【図１】本発明による冊子取扱装置の磁気ヘッドクリーニングの実施例である。
【図２】本発明による冊子取扱装置の磁気ヘッドクリーニングの実施例である。
【図３】従来技術による冊子取扱装置の磁気ヘッドクリーニングの実施例である。
【符号の説明】
【００１７】
１・・・搬送ガイド、２・・・冊子媒体、３・・・搬送ローラ、４・・・磁気ヘッド、５・・・駆動プーリ、６・・・駆動ベルト、７・・・ホームポジション、８・・・案内シャフト、９・・・磁気ストライプ、１０・・・クリーニング部材、１１・・・クリーニング部材
【図１】
2007018567.tif 000003
【図２】
2007018567.tif 000004
【図３】
2007018567.tif 000005